(57)【要約】【課題】継続的に使用者の興味を引き、目に入る機会を増やすことができ、販促ツールとして効果の高い、当日表示機能付きカレンダーを提供する。【解決手段】当日表示機能付きカレンダーは、それぞれ少なくとも１か月分の日付が印刷され、少なくとも１年分のカレンダーを構成する各ページと、ページを綴じ合わせる台紙と、台紙の、ページのいずれが表示されている状態であっても視認可能な部分に配置された、反射型のディスプレイと、時計機能を有するコントローラおよびメモリーが搭載されたコントロール基板と、電池とを備え、メモリーは、少なくとも１年分の、日付と紐付けられた情報を予め記憶し、コントローラは、当日表示する情報として、少なくともメモリーから読み出した、当日の日付と紐付けられた情報を反射型のディスプレイに表示する。【選択図】図１
2017193133.tif 000002
【特許請求の範囲】
【請求項１】
それぞれ少なくとも１か月分の日付が印刷され、少なくとも１年分のカレンダーを構成する各ページと、
前記ページを綴じ合わせる台紙と、
前記台紙の、前記ページのいずれが表示されている状態であっても視認可能な部分に配置された、反射型のディスプレイと、時計機能を有するコントローラおよびメモリーが搭載されたコントロール基板と、電池とを備え、
前記メモリーは、前記少なくとも１年分の、日付と紐付けられた情報を予め記憶し、
前記コントローラは、当日表示する情報として、少なくとも前記メモリーから読み出した、当日の日付と紐付けられた情報を前記反射型のディスプレイに表示する、当日表示機能付きカレンダー。
【請求項２】
前記ページに予め情報が印刷されており、
前記ページに予め印刷された情報と、前記反射型のディスプレイに当日表示される情報とを、これらを組み合わせることにより当日新規に生成される新規情報として、提示する、請求項１に記載の当日表示機能付きカレンダー。
【請求項３】
前記台紙は、前記ページを綴じ合わせた状態で吊り下げ、前記視認可能な部分を含む上部綴じ合わせ部を構成する、請求項１または２に記載の当日表示機能付きカレンダー。
【請求項４】
前記台紙は、前記ページを綴じ合わせた状態で自立し、前記視認可能な部分を含むスタンド部を構成する、請求項１または２に記載の当日表示機能付きカレンダー。
【請求項５】
前記メモリーが記憶する前記日付と紐付けられた情報は、各日の占いの結果を表す運勢情報であり、
前記コントローラは、前記当日表示する情報として、当日の前記運勢情報および月、日、曜日を前記反射型のディスプレイに表示する、請求項１に記載の当日表示機能付きカレンダー。
【請求項６】
前記コントローラは、少なくとも４組のスイッチ端子と、前記スイッチ端子のそれぞれに接続され、前記コントロール基板の外周から飛び出した形状で設けられた少なくとも４組の配線とを有し、
前記メモリーは前記運勢情報を複数パターン記憶しており、
前記コントローラは、前記配線のそれぞれの切断の有無の組み合わせに基づいて、前記運勢情報として前記複数パターンから１つを選択して用いる、請求項５に記載の当日表示機能付きカレンダー。
【発明の詳細な説明】
【技術分野】
【０００１】
本発明は、当日表示機能付きカレンダーに関する。
【背景技術】
【０００２】
販促ツールとして活用されるカレンダーは、社名や商品名と連絡先などが印刷されたものが主流であり、なおかつデザイン性で付加価値を高めることにより、室内の目に付く場所に掲示される機会を生み出すことで、社名や商品名が自然と目に入り認知されることを狙ったものが一般的である。さらにカレンダーに目を向けさせる試みとしては、特売日など特定の日付限定の情報をカレンダーに記載する方法や、その日の運勢など使用者が興味を示す内容を記載する方法が考えられる。
【発明の概要】
【発明が解決しようとする課題】
【０００３】
しかしながら、各日付の印刷部にその日限定の情報を記載する場合、未来の日の情報を予め知ることができてしまうため、継続的にカレンダーに目を向けさせる効果が低い。
【０００４】
本発明は上記事情に鑑みてなされたものであり、継続的に使用者の興味を引き、目に入る機会を増やすことができ、販促ツールとして効果の高い、当日表示機能付きカレンダーを提供することを目的とする。
【課題を解決するための手段】
【０００５】
上記した課題を解決するために本発明の一局面は、それぞれ少なくとも１か月分の日付が印刷され、少なくとも１年分のカレンダーを構成する各ページと、ページを綴じ合わせる台紙と、台紙の、ページのいずれが表示されている状態であっても視認可能な部分に配置された、反射型のディスプレイと、時計機能を有するコントローラおよびメモリーが搭載されたコントロール基板と、電池とを備え、メモリーは、少なくとも１年分の、日付と紐付けられた情報を予め記憶し、コントローラは、当日表示する情報として、少なくともメモリーから読み出した、当日の日付と紐付けられた情報を反射型のディスプレイに表示する、当日表示機能付きカレンダーである。
【０００６】
また、ページに予め情報が印刷されており、この情報と、反射型のディスプレイに当日表示される情報とを、これらを組み合わせることにより当日新規に生成される新規情報として、提示してもよい。
【０００７】
また、台紙は、ページを綴じ合わせた状態で吊り下げ、視認可能な部分を含む上部綴じ合わせ部を構成してもよい。
【０００８】
また、台紙は、ページを綴じ合わせた状態で自立し、視認可能な部分を含むスタンド部を構成してもよい。
【０００９】
また、メモリーが記憶する日付と紐付けられた情報は、各日の占いの結果を表す運勢情報であり、コントローラは、当日表示する情報として、当日の運勢情報および月、日、曜日を反射型のディスプレイに表示してもよい。
【００１０】
また、コントローラは、少なくとも４組のスイッチ端子と、スイッチ端子のそれぞれに接続され、コントロール基板の外周から飛び出した形状で設けられた少なくとも４組の配線とを有し、メモリーは運勢情報を複数パターン記憶しており、コントローラは、配線のそれぞれの切断の有無の組み合わせに基づいて、運勢情報として複数パターンから１つを選択して用いてもよい。
【発明の効果】
【００１１】
本発明によれば、カレンダーの年間を通じて表側に出ている部分に当日のみ限定して表示される特売日や記念日などや、使用者の九星や星座に応じた内容の日毎に変わる占いの結果を表示することでき、毎日使用者の目をカレンダーに向けさせることで販促ツールとしての効果が高いカレンダーを提供することができる。また、本発明によれば、配線を切断する組み合わせにより、あらかじめメモリーに記憶された一年分の全九星または全星座の占いの結果から任意の一つを選択することができ、販促用としてカレンダーを配るときに使用者の誕生年や誕生日に合わせた占いの結果が表示されるように設定できる。これにより、継続的に使用者の興味を引く目に入る機会を増やすことができ、販促ツールとして効果の高いカレンダーを提供できる。
【図面の簡単な説明】
【００１２】
【図１】本発明の第１の実施形態に係る吊り下げ型カレンダーを示す斜視図である。
【図２】本発明の第１の実施形態に係る吊り下げ型カレンダーの上部綴じ合わせ部内を示す斜視図である。
【図３】本発明の第２の実施形態に係るスタンド型カレンダーを示す斜視図である。
【図４】本発明の第３の実施形態に係るコントロール基板を示す平面図である。
【発明を実施するための形態】
【００１３】
以下に本発明の実施形態を、図面を参照しながら詳しく説明する。
【００１４】
（第１の実施形態）
以下、本発明の第１の実施形態である、吊り下げ型カレンダーの年間を通じて表側に出ている上部綴じ合わせ部に、反射型のディスプレイと時計機能を有するコントローラおよびメモリーが搭載されたコントロール基板と電池とを配置したことを特徴とする当日表示機能付きカレンダーについて、添付図面を参照しながら説明する。
【００１５】
図１は本発明の当日表示機能付きカレンダーの第１の実施形態の一例としての構成を模式的に示した斜視図であり、図２は図１の上部綴じ合わせ部の内部を示している。図１に示すように吊り下げ型カレンダー１の上部綴じ合わせ部２には反射型のディスプレイ３があり、月、日、曜日と、当日表示する情報が表示されるようになっている。
【００１６】
図２に示すように、吊り下げ型カレンダー１の上部綴じ合わせ部２の中には反射型のディスプレイ３と、時計機能を有するコントローラ４およびメモリー５が搭載されているコントロール基板６と、電池７とがそれぞれ配線フィルム８で電気的に接続されて配置されている。反射型のディスプレイ３には、液晶ディスプレイ、電気泳動ディスプレイ等を用いることができる。
【００１７】
前記メモリー５には、少なくとも一年分の日付と紐付けられた当日表示する情報が記憶されている。一例として、特定の九星（たとえば九紫火星）または特定の星座（たとえば射手座）のその年の1月1日から１２月３１日までの全ての日ごとの占いの結果、たとえば健康運、愛情運、金運をそれぞれ５段階に分けた場合の各日における前記したそれぞれの運勢の段階（たとえば健康運４、愛情運３、金運２）が記憶されており、コントローラ４の時計機能によって判断された当日の月、日、曜日の表示データと共に当日の運勢を反射型のディスプレイ３に出力する。
【００１８】
また、反射型のディスプレイ３に当日表示する情報と、吊り下げ型カレンダー１に予め印刷された情報とを組み合わせることによりキーワードとして機能させ、懸賞への応募や商品の割引等の特典が受けられるようにしてもよい。例えば、吊り下げ型カレンダー１に数字と空欄を並べて印刷しておき、反射型のディスプレイ３に当日表示される情報として、空欄に当てはまる数字を表示する。これらの数字を空欄にあてはめて完成した数列は、カレンダー１に予め印刷されていた情報とメモリー５に予め記憶されていた情報であるが、カレンダーの利用者にとっては当日になって初めて入手できる情報となるため、ここでは新規情報と呼ぶ。この新規情報をキーワードとして所定のＷｅｂページ内に入力したり、店頭で提示することで懸賞の応募や商品の割引購入等の特典が受けられるようにすることで、カレンダーに目を向けさせる効果が増す。新規情報として利用するカレンダーに予め印刷された情報と反射型のディスプレイに表示される情報の組み合わせは数列に限るものではなく、記号や模様などでも良い。
【００１９】
（第２の実施形態）
以下、本発明の第２の実施形態である、スタンド型カレンダーの年間を通じて表側に出ているスタンド部に、反射型のディスプレイと、時計機能を有するコントローラおよびメモリーが搭載されたコントロール基板と、電池とを配置したことを特徴とする当日表示機能付きカレンダーについて、添付図面を参照しながら説明する。
【００２０】
図３は本発明の当日表示機能付きカレンダーの第２の実施形態の一例としての構成を模式的に示した斜視図であり、スタンド型カレンダー９のスタンド部１０には反射型のディスプレイ３があり、月、日、曜日と、当日表示する情報が表示されるようになっている。
【００２１】
反射型のディスプレイ３に占いの結果を表示する方法は第１の実施形態と同一であるため説明を省略する。
【００２２】
第１の実施形態と同様に、反射型のディスプレイ３に当日表示する情報と、スタンド型カレンダー９に予め印刷された情報を組み合わせることにより得られる新規情報をキーワードとして、懸賞への応募や商品の割引購入等の特典が受けられるようにしてもよい。
【００２３】
（第３実施形態）
第１および第２の実施形態において、その日の運勢として一般的に用いられている、誕生年を基にグループ分けした占いである九星気学や誕生日を基にグループ分けした占いである星座占いを用いる場合、前者では９通り、後者では１２通りの占いの結果のパターンが存在する。そのため、不特定多数への配布を想定した販促ツールとしてはパターンごとにカレンダーを複数種類用意する必要がある。以下では、販促ツールとしての汎用性を高めるために、第３の実施形態として、第１の実施形態、第２の実施形態に係るカレンダーに適用可能な、少なくとも４組の配線を切断する組み合わせで、メモリーに記憶された占いの結果から使用者の九星や星座に合わせた内容を選択して表示することができるコントロール基板について、添付図面および表を参照しながら説明する。
【００２４】
図４は本発明の当日表示機能付きカレンダーの第３の実施形態におけるコントロール基板の一例としての構成を模式的に示した平面図であり、コントロール基板６に搭載されたコントローラ４のスイッチ端子に接続された配線Ａ〜Ｄがそれぞれを個別に切断できるようにコントロール基板の外周からＵ字状の配線１１として飛び出した形状となっている。
【００２５】
表１は図４に示す配線Ａ〜Ｄを切断する組み合わせと１２星座の対応を示したものであり、配線の切断によりスイッチがＯＦＦ状態となることからＡ〜ＤのスイッチのＯＮ、ＯＦＦ状態の組み合わせで１２通りの星座から１つを選択することができる。また、九星気学の場合も、同様にスイッチのＯＮ、ＯＦＦ状態の組み合わせで９通りの九星から１つを選択することができる。
【００２６】
【表１】
2017193133.tif 000003
【００２７】
このような構造にすることで、あらかじめメモリーに記憶された一年分の全星座または全九星の占いの結果から任意の１つの占いの結果を容易に選択することができ、販促用としてカレンダーを１種類のみ用意しても、配るときに使用者の誕生年や誕生日に合わせた占いの結果が表示されるように設定でき、販促用としての汎用性を高めることができる。
【００２８】
以上、この発明の実施形態につき、図面を参照して詳述してきたが、具体的な構成はこの実施形態に限られるものではなく、この発明の要旨を逸脱しない範囲の設計等も含まれる。例えば、カレンダーは、少なくとも１か月分の日付が印刷され、１年分のカレンダーを構成する各ページを台紙が綴じ合わせている態様でもよいし、これ以外の態様でもよい。
【実施例】
【００２９】
（実施例１）
吊り下げ型カレンダー１の上部綴じ合わせ部２の中に、反射型のディスプレイ３に時計機能を有するコントローラ４およびメモリー５を搭載したコントロール基板６と電池７とをそれぞれ配線フィルム８で電気的に接続したものを搭載した（図２）。反射型のディスプレイ３には、液晶ディスプレイを用いた。
【００３０】
メモリー５には、運勢として星座占いの射手座における、その年の1月1日から１２月３１日までの全ての日ごとの占いの結果として、健康運、愛情運、金運をそれぞれ５段階に分けた場合の各日における運勢の段階を記憶させた。
【００３１】
当日の運勢を反射型のディスプレイ３に表示することにより、吊り下げ型カレンダー１に使用者の目が向く頻度を高める効果が得られた。
【００３２】
（実施例２）
スタンド型カレンダー９の上部綴じ合わせ部２の中に、反射型のディスプレイ３に時計機能を有するコントローラ４およびメモリー５を搭載したコントロール基板６と電池７とをそれぞれ配線フィルム８で電気的に接続したものを搭載した（図３）。反射型のディスプレイ３には、液晶ディスプレイを用いた。
【００３３】
メモリー５には、運勢として星座占いの射手座における、その年の1月1日から１２月３１日までの全ての日ごとの当日の運勢として、健康運、愛情運、金運をそれぞれ５段階に分けた場合の各日における運勢の段階を記憶させた。
【００３４】
当日の運勢を反射型のディスプレイ３に表示することにより、スタンド型カレンダー９に使用者の目が向く頻度を高める効果が得られた。
【００３５】
（実施例３）
吊り下げ型カレンダー１の上部綴じ合わせ部２の中に、反射型のディスプレイ３に時計機能を有するコントローラ４およびメモリー５を搭載したコントロール基板６と電池７とをそれぞれ配線フィルム８で電気的に接続したものを搭載した（図２）。反射型のディスプレイ３には、液晶ディスプレイを用いた。
【００３６】
コントロール基板６に搭載されたコントローラ４のスイッチ端子に接続された配線Ａ〜Ｂが、それぞれを個別に切断できるようにコントロール基板の外周からＵ字状に飛び出した形状とした（図４）。
【００３７】
メモリー５には、運勢として星座占いの１２星座分の、その年の1月1日から１２月３１日までの全ての日ごとの占いの結果として、健康運、愛情運、金運をそれぞれ５段階に分けた場合の各日における運勢の段階を記憶させた。使用者が、配線Ａ〜Ｄを所定の組み合わせ（表１）にて切断することにより、自分の星座を選択した。
【００３８】
当日の運勢を反射型のディスプレイ３に表示することにより、吊り下げ型カレンダー１に使用者の目が向く頻度を高める効果が得られた。コントローラ４のスイッチ端子に接続された配線Ａ〜Ｄを所定の組み合わせ（表１）にて切断することにより、使用者自身で自分の星座の運勢を表示するようにできるため、星座ごとに在庫を管理する労力を省くことができた。
【産業上の利用可能性】
【００３９】
本発明は、当日固有の情報を表示する機能を有する印刷カレンダーに有用である。
【符号の説明】
【００４０】
１    吊り下げ型カレンダー
２    上部綴じ合わせ部
３    反射型のディスプレイ
４    コントローラ
５    メモリー
６    コントロール基板
７    電池
８    配線フィルム
９    スタンド型カレンダー
１０    スタンド
１１    U字状に飛び出した配線
【図１】
2017193133.tif 000004
【図２】
2017193133.tif 000005
【図３】
2017193133.tif 000006
【図４】
2017193133.tif 000007